(57)【要約】【課題】本体の消費電力による発熱に対して、告知や動作停止を行う撮像装置では、精度の高い温度判定が必要である。本体の熱影響を受けない本体周辺温度を計測し温度管理判定に利用したい。【解決手段】本体から離れた位置に移動する開閉機構ユニットに温度計を搭載し、開閉状態に合わせて温度情報を更新して取得し、温度判定閾値を変更して温度管理を行う。【選択図】  図７
2015186055.tif 000002
【特許請求の範囲】
【請求項１】
撮像装置（１００）の内部に複数の温度計（１０５、１０６、１０７、１２４）を配置し、撮像装置の温度管理を行う手段であって、
複数の温度計の一つ（１２４）は本体から離れた位置に移動する開閉機構ユニット（１２０）に設置され、
開閉機構ユニットの移動を検出する開閉検出手段（１２３）の構成を持ち、
電源の起動時に温度情報を記憶する手段（Ｓ７０２、Ｓ８０２）があり、
開閉検出手段にて開閉機構ユニットが本体から離れた位置にあると判定した場合（Ｓ７０３、Ｓ８０３）には、
記憶した温度情報を更新する手段（Ｓ７０９、Ｓ８０９）があり、
更新された温度情報を使用して温度管理を行うことを特徴とする撮像装置。
【請求項２】
本体から離れた位置に移動する開閉機構ユニットに設置された温度計情報を外部温度として管理し、本体内部に設置された複数の温度計情報を内部温度として管理することを特徴とする請求項１に記載の撮像装置。
【請求項３】
温度管理の判定結果で温度警告表示および動作停止となることを特徴とする請求項１に記載の撮像装置。
【請求項４】
温度警告表示および動作停止となる温度閾値条件を変更することを特徴とする請求項１に記載の撮像装置。
【請求項５】
開閉検出手段にて開閉機構ユニットが本体に収納されている位置にあると判定した場合（Ｓ７０３、Ｓ８０３）には、記憶した温度情報を使用して温度管理を行う（Ｓ７０６、Ｓ８０６）ことを特徴とする請求項１に記載の撮像装置。
【請求項６】
開閉機構ユニットは撮像装置の表示部であることを特徴とする請求項１に記載の撮像装置。
【請求項７】
開閉検出手段の結果により、温度情報の更新を連続して行い、設定された時間毎と所定時間の温度計測結果を基に温度管理を行うことを特徴とする請求項１に記載の撮像装置。
【発明の詳細な説明】
【技術分野】
【０００１】
本発明は、小型電子機器での温度検出方法であり、特に開閉動作機構の付いた撮像装置の温度管理方法に関する。
【背景技術】
【０００２】
昨今のデジタルカメラおよび撮像装置は多機能化が進行しており、高精細な画像生成機能や動画記録機能の搭載により、各電気部品が消費する電力は処理能力に応じて増加する傾向となっている。
【０００３】
併せて小型化も進行しており、高精細な画像を連続撮影していると、継続する放電電流により電力の高い電気素子である例えば撮像センサや画像処理回路が発熱し、熱のあおりを受けて撮像装置本体外装の温度も上昇する。
【０００４】
発熱し温度が上昇すると、回路設計または実装レイアウト設計によっては駆動信号にノイズが発生して正常な結果が得られない問題となる。
【０００５】
よって従来は、電力の高い電気素子近辺に温度センサを配置したり、電気的な精度補償を必要とする電気素子の近辺に温度センサを配置したり、複数の電気素子周囲の温度を計測管理することで、事前に警告や停止命令の告知を行っていた。
【０００６】
撮像センサの熱対策として、特許文献１には温度検出部による検出結果に応じて、動画記録部に設定する記録方式を変更する技術が開示されている。
【０００７】
外部温度情報の取得方法として、本体の内部温度を測定し物体の外部温度（表面温度）を確定する手法が特許文献２で開示されている。
【０００８】
さらに、外部温度情報を用いて補正する方法として、複数の温度計を用いて周囲温度を推測する手法が特許文献３で開示されている。
【先行技術文献】
【特許文献】
【０００９】
【特許文献１】特開２０１２−１６５３７３号公報
【特許文献２】特開平７−１９８５００号公報
【特許文献３】特開２００８−１３９１８３号公報
【発明の概要】
【発明が解決しようとする課題】
【００１０】
前途の如く、撮像装置の温度管理として、本体内部に複数の温度計を配置して管理することは有効である。
【００１１】
更に、それぞれの温度計の温度上昇を管理するうえで、撮像装置の外部温度を検出すれば温度上昇の予測精度が上げられる。
【００１２】
前記の複数の温度計の中には、撮像装置外装の発熱状態を検知するために外装金属近辺に設置したものがあるが、本体内部に設定しているため撮像装置の状態や動作モードによっては温度が上昇し、外装温度とは異なる温度となる。
【００１３】
本体の周囲温度（外部温度）を推定する場合は、本体の熱上昇の影響を受けない条件での温度取得と温度計の設置場所とが重要となる。
【００１４】
本発明は、撮像装置の状態によって変化する温度情報を使用し、外部温度として捉えて温度管理を行う手段を特徴とする。
【課題を解決するための手段】
【００１５】
本発明に係る撮像装置の構成は、
撮像装置の内部に複数の温度計を配置し、撮像装置の温度管理を行う手段であって、
複数の温度計の一つは本体から離れた位置に移動する開閉機構ユニットに設置され、
開閉機構ユニットの移動を検出する開閉検出手段の構成を持ち、
電源の起動時に温度情報を記憶する手段があり、
開閉検出手段にて開閉機構ユニットが本体から離れた位置にあると判定した場合には、
記憶した温度情報を更新する手段があり、
更新された温度情報を使用して温度管理を行うことを特徴とする。
【発明の効果】
【００１６】
本発明の撮像装置によれば、撮像装置の発熱に対応した機器動作を可能とし、使用環境に応じた適切な連続動作を行うことができる。
【図面の簡単な説明】
【００１７】
【図１】本実施例の撮像装置の外観図
【図２】本実施例のシステムのブロック図
【図３】本実施例のカメラ外観図と温度計配置の関係を示す図
【図４】撮像装置の警告温度または動作禁止温度に至る温度条件の一例
【図５】ユニット閉状態の警告温度または動作禁止温度に至る温度条件の一例
【図６】ユニット開状態の警告温度または動作禁止温度に至る温度条件の一例
【図７】本実施例１での温度管理プログラム動作のフローチャートの一例
【図８】本実施例２での温度管理プログラム動作のフローチャートの一例
【発明を実施するための形態】
【００１８】
以下に、本発明の好ましい実施の形態を、添付の図面に基づいて詳細に説明する。
【００１９】
図１は、本発明の実施形態にかかわるデジタルカメラ（撮像装置）の外観図である。
【００２０】
図１において、撮像装置１００はレリーズスイッチ１０１、撮像装置の撮影モードを設定するモードダイヤル１０２、被写体の構図を決めるためのファインダ１０３、を有している。
【００２１】
表示部１２０は撮影画像を表示する液晶パネル１２１、を有しており、本体との接続部を軸に回転する開閉方式表示ユニットの構成（バリアングル機構）で構成されている。
【００２２】
図１での表示部１２０は、表示ユニットのみが可動して開いた状態を示しており、閉じられると表示ユニットがカメラ背面の収納部１３０部分に収納される。
【００２３】
表示部１２０は、回転表示ユニットであるため、収納状態の場合でも表示可能および本体は動作可能である。
【００２４】
図２は、本発明の実施形態にかかわるシステムのブロック図である。
【００２５】
図中１１０は、本実施例での温度管理を行うシステム制御部であり、各部の動作制御を行うと共に、各部の温度計から出力される温度データを演算し、表示部へ情報告知を行う。
【００２６】
システム制御部１１０は、ＲＯＭ、ＲＡＭ、Ａ／Ｄコンバータ、Ｄ／Ａコンバータ、および内蔵メモリ、を有するマイクロコンピュータで構成される。
【００２７】
システム制御部１１０には、前記レリーズスイッチ１０１、前記モードダイヤル１０２、が接続され、それぞれ動作モードの設定や撮影開始となるレリーズスイッチの状態を管理する。
【００２８】
前記ファインダ１０３のファインダ情報表示や、被写体を撮像し画像信号を出力する撮像素子１０４がシステム制御部１１０に接続され、それぞれ管理制御される。
【００２９】
温度計１の１０５、温度計２の１０６、温度計３の１０７は、本体内部に設置された複数の温度計であり、各部の温度計出力はシステム制御部１１０にて演算され、所定の閾値による温度管理と温度警告判定を行う。
【００３０】
図中１２０は表示部であり、図１の外観図のように表示ユニット部分が開閉可能である。
【００３１】
表示部１２０には、液晶パネル１２１と液晶背面から照明されるＬＥＤ照明１２２が内蔵される。
【００３２】
バリアングル機構である表示部１２０には、開閉動作を検出する開閉検知部１２３が内蔵される。
【００３３】
本実施例では、この開閉機構を持った表示ユニットに温度計４の１２４を設置しており、カメラ本体側に設置されている温度計との相関演算により外部温度を加算して温度警告に利用するものである。
【００３４】
図３は、カメラ外観図と温度計配置の関係を示す図である。
【００３５】
前記の温度計１の１０５、温度計２の１０６、温度計３の１０７は、カメラ本体の内部に設置される。
【００３６】
図では、温度計１の１０５の出力値をＴ１とし、温度計２の１０６の出力値をＴ２とし、温度計３の１０７の出力値をＴ３としている。
【００３７】
温度計４の１２４は、表示部１２０ユニットが開いた時に、本体から充分に離れた位置に設置される。
【００３８】
図では、温度計４の１２４の出力値をＴ４としている。
【００３９】
温度計４の１２４は、表示部１２０の開閉動作により発熱源の本体から遠ざかる位置にあるため、本体のあおり熱を受けない温度を出力する。
【００４０】
図４は、撮像装置の警告温度または動作禁止温度に至る温度条件の一例を示す。
【００４１】
図中グラフの縦軸は温度を表し、横軸は経過時間を表し、撮像動作による温度変化を表している。
【００４２】
図より、撮像装置が平常動作時であるスタンバイ中は温度上昇が見られず温度は一定値を保つが、電力を大きく消費する動作モードの動画記録中やＬＶ中（スルー画像を継続するライブビュー中）では温度は著しく上昇する。
【００４３】
撮像装置が動作停止すると、温度はその時の放熱状態や温度計の周囲温度または外気温度に従って下降する。
【００４４】
システム制御部１１０での温度管理プログラムでは、警告温度の閾値が設定してあり、図例では、警告温度の段階で表示部１２０に告知情報を表示する。
【００４５】
また、さらに温度が上昇した場合は、動作禁止温度の閾値が設定してあり、温度が閾値を越えると動作停止となる。
【００４６】
また、図例では警告温度および動作禁止温度の閾値を単独としているが、各温度計に対して温度閾値を複数設定して、それぞれを管理してもかまわない。
【００４７】
図５は、本実施例での表示部１２０が閉じられて動作している撮像装置の警告温度または動作禁止温度に至る温度条件の一例を示す。
【００４８】
図３で説明した各部の温度計の出力値変化を表しており、カメラ内部に設置された温度計１の１０５の出力値Ｔ１はすぐに温度上昇し、早い時間で警告温度の閾値に到達する。
【００４９】
図中、「Ｔ１の警告温度到達点」のポイントが「Ｔ１の警告温度到達時間」となる。
【００５０】
この例では、温度計１の１０５は撮像センサの近辺に設置しており、動画モードやＬＶ中では撮像センサの発熱により温度計１のＴ１出力の温度は著しく上昇する。
【００５１】
また、表示部１２０に設置された温度計４の１２４は、表示部が閉じられた状態での動作であり、本体近辺に温度計があるため、出力値Ｔ４は同様に温度上昇する。
【００５２】
図のように、この動作モードではＴ１の温度上昇が動作停止に至っているため、撮影者は機器の発熱により撮影ができない状況となる。
【００５３】
図６は、本実施例での表示部１２０が開かれて動作している撮像装置の警告温度または動作禁止温度に至る温度条件の一例を示す。
【００５４】
この例では、表示部１２０に設置された温度計４の１２４は、表示部が開いた状態での動作であり、本体のあおり熱の影響を受けないので出力値Ｔ４は変動せず一定であり、カメラ外部の温度と等しい温度出力値を示す。
【００５５】
Ｔ４の温度出力値を元にカメラ内部の上昇温度値を比較すれば、各部の温度計出力判定の精度向上となる。
【００５６】
図では外部温度を基に温度閾値を追加した場合の一例を示し、例えば外装近辺に設置された温度計は外部警告温度の閾値で警告を行い、その他の温度計は内部警告温度の閾値で警告を行うように判定している。
【００５７】
また、前記の動作禁止温度ポイントである飽和状態での閾値判定誤差に対してもＴ４の温度出力値を外部温度として相関演算を行えば精度向上となる。
【実施例１】
【００５８】
図７は、本実施例での温度管理プログラム動作のフローチャートの一例を示す。
【００５９】
Ｓ７０１は撮像装置の電源が起動されたときを示し、システム制御部１１０が起動する。
【００６０】
Ｓ７０２では、電源起動時の撮像装置自体の発熱が発生していない状態で温度取得を行い、例えばＴ４の温度出力値を取得して、システム制御部１１０に初期の外部温度として記憶する。
【００６１】
Ｓ７０３では表示部１２０の開閉状態を検出して、閉じている場合はＳ７０４に進み、表示部＿閉として判定する。
【００６２】
Ｓ７０５では各温度計の温度出力値を取得し、Ｓ７０６では前記した図５のように動作モードに応じて設定してある温度閾値に合わせて警告温度と動作禁止温度の判定を行う。
【００６３】
Ｓ７０５での温度判定は、外部温度としてＳ７０２で記憶した初期の外部温度データを使用して判定する。
【００６４】
このときの外部温度の取得方法と判定方法は、前記した特許文献にて開示している手法でもよく、例えば、得られた外部温度情報を基に各温度計の温度上昇率から、温度閾値の変更や到達予測時間の推定に利用してもよい。
【００６５】
Ｓ７０７では、各温度計の温度出力値が警告温度と動作禁止温度の温度閾値を越えたら、告知表示や動作停止の実行を行う。
【００６６】
Ｓ７０３にて、表示部１２０の開閉状態を検出して、開いている場合、すなわち表示部に設置している温度計が本体から離れた位置にある状態を検出したら、Ｓ７０８に進み、表示部＿開として判定する。
【００６７】
Ｓ７０９では表示部に設置した温度計出力値Ｔ４を取得し、Ｓ７０２で記憶した外部温度データを更新する。
【００６８】
Ｓ７１０では、更新された外部温度データを元に温度閾値を変更することを可能としており、温度差が無い場合はそのまま設定されている温度閾値を使用してもかまわない。
【００６９】
Ｓ７１１では、前記した図５のように動作モードに応じて設定してある温度閾値に合わせて警告温度と動作禁止温度の判定を行う。
【００７０】
Ｓ７１１での温度判定は、Ｓ７０９で取得した表示部温度計の出力値データを現在の外部温度として使用して判定する。
【００７１】
Ｓ７１２では、各温度計の温度出力値が警告温度と動作禁止温度の温度閾値を越えたら、告知表示や動作停止の実行を行う。
【００７２】
以上説明したように、実施例１では電源起動時の温度計出力値を外部温度データとして記憶し、表示部の開閉に応じて外部温度データを更新する構成にした。
【００７３】
これにより、外部温度を含めた撮像装置の状態を含めた適切な温度管理が行える。
【実施例２】
【００７４】
図８は、本実施例での温度管理プログラム動作のフローチャートの一例を示す。
【００７５】
図８での実施例は、表示部１２０が本体側に収納されて動作している最中に開かれた場合の温度管理動作フローを示している。
【００７６】
Ｓ８０１は撮像装置の電源が起動されたときを示し、システム制御部１１０が起動する。
【００７７】
Ｓ８０２では、電源起動時の撮像装置自体の発熱が発生していない状態で温度取得を行い、例えばＴ４の温度出力値を取得して、システム制御部１１０に初期の外部温度として記憶する。
【００７８】
Ｓ８０３では表示部１２０の開閉状態を検出して、閉じている場合はＳ８０４に進み、表示部＿閉として判定する。
【００７９】
Ｓ８０５では各温度計の温度出力値を取得し、Ｓ８０６では前記した図５のように動作モードに応じて設定してある温度閾値に合わせて警告温度と動作禁止温度の判定を行う。
【００８０】
Ｓ８０５での温度判定は、外部温度としてＳ８０２で記憶した初期の外部温度データを使用して判定する。
【００８１】
このときの外部温度の取得方法と判定方法は、前記した特許文献にて開示している手法でもよく、例えば、得られた外部温度情報を基に各温度計の温度上昇率から、温度閾値の変更や到達予測時間の推定に利用してもよい。
【００８２】
Ｓ８０７では、各温度計の温度出力値が警告温度と動作禁止温度の温度閾値を越えたら、告知表示や動作停止の実行を行う。
【００８３】
Ｓ８０３にて、表示部１２０の開閉状態を検出して、開いている場合、すなわち表示部に設置している温度計が本体から離れた位置にある状態を検出したら、Ｓ８０８に進み、表示部＿開として判定する。
【００８４】
Ｓ８０９では表示部に設置した温度計出力値Ｔ４を取得し、Ｓ８０２で記憶した外部温度データを更新する。
【００８５】
Ｓ８１０では、あらかじめ設定されている設定時間を検出し、設定時間になったらＳ８０９に戻り、Ｓ８０９にて再度Ｔ４の温度出力を取得し、外部温度データを更新する。
【００８６】
Ｓ８１０では、あらかじめ設定されている所定時間の間、Ｓ８０９からＳ８１０を繰り返し、所定時間を越えたら、Ｓ８１１へ進む。
【００８７】
Ｓ８１１では、Ｓ８０９からＳ８１０の温度下降データから外部温度を予測し、前記した図５のように動作モードに応じて設定してある温度閾値に合わせて警告温度と動作禁止温度の判定を行う。
【００８８】
Ｓ８１１では、更新された外部温度データを元に外部温度を予測し温度閾値を変更することを可能としており、温度差が無い場合はそのまま設定されている温度閾値を使用してもかまわない。
【００８９】
Ｓ８１２での温度判定は、Ｓ８１１で算出した予測外部温度データを現在の外部温度として使用して判定する。
【００９０】
Ｓ８１３では、各温度計の温度出力値が警告温度と動作禁止温度の温度閾値を越えたら、告知表示や動作停止の実行を行う。
【００９１】
以上説明したように、実施例２では表示部が閉じられて表示部温度計が既に上昇している場合でも、所定時間毎の温度計測による予測外部温度を使用して判定することを可能としている。
【００９２】
これにより、表示部が収納されているときでも外部温度を含めた撮像装置の状態を含めた適切な温度管理が行える。
【００９３】
以上、本実施例で説明したように本発明の効果として、撮像装置の発熱に対応した外部温度を含めた温度管理システムが可能となる。
【００９４】
本実施例では、開閉可能な表示部に温度計を設置した構成としたが、これに限らず、熱源となる撮像装置本体から離れる構成をもったユニットに温度計を設置しても構成は同じであり、適用可能である。
【符号の説明】
【００９５】
１００    撮像装置
１０５    温度計１
１０６    温度計２
１０７    温度計３
１２０    表示部
１２３    開閉検出部
１２４    温度計４
【図１】
2015186055.tif 000003
【図２】
2015186055.tif 000004
【図３】
2015186055.tif 000005
【図４】
2015186055.tif 000006
【図５】
2015186055.tif 000007
【図６】
2015186055.tif 000008
【図７】
2015186055.tif 000009
【図８】
2015186055.tif 000010